(57)【特許請求の範囲】
【請求項１】
複数の床板を有し、隣接する床板間に隙間が形成されたスリット床と、
前記スリット床を支持し、前記床板と交差する方向に伸びる根太部材と、
前記根太部材を支持し、前記床板の長手方向に沿って伸びる梁部材と、
を備え、
前記スリット床における各床板と前記根太部材と前記梁部材とがグリッド状に組み上げられると共に、水面上に架設されたグリッド構造を有する床デッキであって、
前記梁部材の縦断面内に設けられる支持部によって前記根太部材の端部が支持されることで、前記根太部材と前記梁部材とが前記床デッキの高さ方向に関して同一レイヤーに配置されており、
前記スリット床は、前記根太部材の上に積層支持され、且つ、
前記スリット床は、前記床板に形成された貫通孔に挿通されることで前記床板同士を連結すると共に前記根太部材とは別の棒状部材と、該棒状部材を挿通可能な中空部を有するスペーサ部材とを有し、前記中空部に前記棒状部材を挿通させた前記スペーサ部材が隣接する床板同士の間に配置されており、
前記スリット床の隣接する床板間に形成された隙間が、前記スリット床の下方から作用する水を該スリット床の上方に逃がすための通路として構成されている、
グリッド構造を有する床デッキ。
【請求項２】
請求項１に記載のグリッド構造を有する床デッキと、
前記梁部材の下方に連結されたフロートと、を備える浮き桟橋であって、
前記フロートは、内部に中空部を有する袋体であって、
前記袋体には、前記中空部に対する空気の導入および排出を行う通気口が設けられており、
前記中空部に空気が充填された状態で水面に浮上し、前記中空部の空気が前記通気口から排出された状態で水中に沈降する、
浮き桟橋。
【発明の詳細な説明】
【技術分野】
【０００１】
本発明は、グリッド構造を有する床デッキに関する。
【背景技術】
【０００２】
水上ステージ、桟橋、水上遊歩道等といったように、水面上に張り出す床デッキを有する水際構築物（水周り構築物）においては、台風、高潮、津波、洪水、増水などの自然災害時に床デッキが下方からの大きな水圧を受けて破損する場合がある。また、従来の水際構築物における床デッキでは、下方から大きな水圧が掛ることを回避するために計画水位に比べてより安全側に床面高さを設定することを余儀なくされていた。その結果、水際構築物の親水性が乏しくなるという課題があった。
【０００３】
また、上記の如く自然災害時においては、下方のみならず横方向からも床デッキが水圧を受けることで損傷を受けることが懸念される。しかしながら、単に床デッキの高さ寸法を低く抑えるだけでは、床デッキの剛性や外力に対する耐久性を充分に確保することが難しくなる。
【先行技術文献】
【特許文献】
【０００４】
【特許文献１】特開平１１−２２９３２２号公報
【特許文献２】特開平９−１６５７２５号公報
【特許文献３】特開平５−１４１０２９号公報
【特許文献４】特開平９−１６５８５９号公報
【発明の概要】
【発明が解決しようとする課題】
【０００５】
本発明は、上記課題に鑑みてなされたものであって、水面上に架設される床デッキにおいて、台風、高潮、津波、洪水、増水などの自然災害時においても下方や側方から大きな外力が作用することを抑制しつつ、優れた親水性を確保するための技術を提供することを目的とする。
【課題を解決するための手段】
【０００６】
本発明は、複数の床板を有し、隣接する床板間に隙間が形成されたスリット床と、前記スリット床を支持し、前記床板と交差する方向に伸びる根太部材と、前記根太部材を支持し、前記床板の長手方向に沿って伸びる梁部材と、を備え、前記スリット床における各床板と前記根太部材と前記梁部材とがグリッド状に組み上げられると共に、水面上に架設されたグリッド構造を有する床デッキであって、前記床板と前記根太部材と前記梁部材のうち、少なくとも、床板と根太部材、或いは根太部材と梁部材を、前記床デッキの高さ方向に関して同一レイヤーに配置する、グリッド構造を有する床デッキを提供する。
【０００７】
上記構成の床デッキによれば、スリット床における各床板の間には隙間が形成されているため、台風や高潮、洪水などの自然災害時に床デッキ（スリット床）の下方から水が勢い良く押し寄せても、隙間を通じて床デッキ（スリット床）の上方に水を逃がすことができる。よって、本発明における床デッキによれば、床面全体に床板を隙間無く配置する従来の床デッキに比べて、下方からの波圧（水圧）を受ける受圧面積を少なくすることができる。これにより、スリット床に下方から作用する波圧（水圧）が低減されるため、台風や高潮、洪水などの自然災害時においてもスリット床が破損することを抑制できる。
【０００８】
また、本発明における床デッキによれば、スリット床に下方から作用する波圧（水圧）が低減されるため、従来に比べてスリット床をより低いレベルに架設することができる。つまり、スリット床を、従来に比べてより一層水面に近い位置に架設することができるため、床デッキの親水性を高めることができる。
【０００９】
そして、本発明に係る床デッキは、スリット床における床板と根太部材と梁部材のうち、少なくとも、床板と根太部材、或いは根太部材と梁部材を、床デッキの高さ方向に関して同一レイヤー（同一層）に配置するようにしたので、床デッキの曲げ剛性が低下することを抑制しつつ、床デッキの高さ寸法を小さく抑えることが可能となる。このように、床デッキの高さをコンパクトにすることで、台風や高潮、洪水などの自然災害時において側方からの波圧（水圧）や風圧を受ける受圧面積を低減できる。
【００１０】
前述の通り、本発明に係る床デッキは、下方から受ける波圧を低減できる構造になっている。以上より、本発明によれば、台風、高潮、津波、洪水、増水などの自然災害時においても、下方や側方から大きな外力を受けることを回避でき、自然災害時に損傷を受けることを抑制可能な床デッキを提供できる。
【００１１】
本発明に係る床デッキにおいて、前記根太部材は、前記床板に形成された貫通孔に挿通されることで、前記床板と前記根太部材とが前記床デッキの高さ方向に関して同一レイヤーに配置されても良い。この場合、前記スリット床は、前記根太部材を挿通可能な中空部を有するスペーサ部材を有し、前記中空部に前記根太部材を挿通させた前記スペーサ部材が隣接する床板同士の間に配置されても良い。このようにスペーサ部材を隣接する床板間に配置する構成を採用することで、隣接する床板間に形成される隙間を適正に確保することができると共に、隙間を所望の寸法に容易に調整することができる。
【００１２】
本発明に係る床デッキにおいて、前記梁部材の縦断面内に設けられる支持部によって前記根太部材の端部が支持されることで、前記根太部材と前記梁部材とが前記床デッキの高さ方向に関して同一レイヤーに配置されても良い。この構成の場合、更に、前記根太部材は、前記床板に形成された貫通孔に挿通されることで、床デッキにおける床板と根太部材と梁部材の全てを、床デッキの高さ方向に関して同一レイヤーに配置することができる。
【００１３】
本発明に係る床デッキにおいて、前記梁部材の縦断面内に設けられる支持部によって前記根太部材の端部が支持されることで、前記根太部材と前記梁部材とが前記床デッキの高さ方向に関して同一レイヤーに配置されており、前記スリット床は、前記根太部材の上に積層支持され、且つ、前記床板に形成された貫通孔に挿通される棒状部材と、該棒状部材を挿通可能な中空部を有するスペーサ部材とを有し、前記中空部に前記棒状部材を挿通させた前記スペーサ部材が隣接する床板同士の間に配置されても良い。
【００１４】
また、本発明は、浮き桟橋の側面として捉えることもできる。本発明に係る浮き桟橋は、上述までの何れかの床デッキと、前記梁部材の下方に連結されたフロートと、を備える浮き桟橋であって、前記フロートは、内部に中空部を有する袋体であって、前記袋体には、前記中空部に対する空気の導入および排出を行う通気口が設けられており、前記中空部に空気が充填された状態で水面に浮上し、前記中空部の空気が前記通気口から排出された状態で水中に沈降するように構成されても良い。
【００１５】
上記のように構成される浮き桟橋によれば、フロートの中空部内への空気の充填状態に応じて、浮き桟橋の水面への浮上と水中への沈降を自在に切り替えることができる。従って、台風等が接近している場合などには、浮き桟橋を予め水中に沈降させておくことで、浮き桟橋が損傷することを回避し易くなる。
【００１６】
そして、上記の如く本発明に係る床デッキはグリッド構造を採用し、且つ、スリット床はスリット構造を採用しているため、浮き桟橋を水中に沈降させる際に水の抵抗を受け難くすることができる。従って、浮き桟橋の沈降作業を容易に、且つ短時間で行うことができるので作業性を向上させることができる。
【００１７】
また、本発明に係る床デッキによれば、上記のように高さ方向の総寸法を低く抑えることができるため、このような床デッキを用いて浮き桟橋を構築することにより、側方からの外力を受け難い浮き桟橋を提供することができる。従って、浮き桟橋を海底に沈降させた場合には、大波の影響を受け難くすることができる。また、浮き桟橋を川底に沈降させた場合には、増水の際に上流から勢い良く流れてくる濁流の影響を受け難くすることができるし、流木やその他の障害物が衝突することを回避し易くなる。これにより、台風や増水等の自然災害時においても破損しにくい浮き桟橋を提供することができる。
【発明の効果】
【００１８】
本発明によれば、水面上に架設される床デッキにおいて、台風、高潮、津波、洪水、増水などの自然災害時においても下方や側方から大きな外力が作用することを抑制しつつ、優れた親水性を確保することが可能となる。
【図面の簡単な説明】
【００１９】
【図１】実施形態１に係るグリッド構造を有する床デッキを備える水際構築物を示す図である。
【図２】実施形態１に係る床デッキの概略構成を示す図である。
【図３】図２のＡ−Ａ矢視図である。
【図４】図２のＢ−Ｂ矢視断面図である。
【図５】実施形態２に係る床デッキの断面構造を示す図である。
【図６】実施形態３に係る水際構築物を示す図である。
【図７】実施形態３に係る床デッキの断面構造を示す図である。
【図８】実施形態３に係る水際構築物において、干潮時の状態を示す図である。
【図９】実施形態３に係る人通橋の設置例のバリエーションについて示す図である。（ａ）は満潮時の状態を示し、（ｂ）は干潮時の状態を示す。
【図１０】実施形態４に係る浮き桟橋の概略構成を示す図である。
【発明を実施するための形態】
【００２０】
以下、図面を参照して、発明を実施するための実施形態を例示的に詳しく説明する。
【００２１】
＜実施形態１＞
図１は、実施形態１に係るグリッド構造を有する床デッキ（以下、単に「床デッキ」と称する）１を備える水際構築物１００を示す図である。本実施形態における水際構築物１００は、例えば水上ステージである。床デッキ１は、コンクリート製の護岸１０１に締結具１０２によって締結されており、水面上に張り出すように架設されている。床デッキ１は、図１に示す梁部材（大引き）２の他、根太部材、スリット床を主要構造として構成されている。本実施形態ではＨ型鋼によって梁部材２を構成しているが、これには限定されない。梁部材２は、締結具１０２を介して護岸１０１に締結されている。図１に示すように、床デッキ１は、水面ＷＬ上に張り出すように架設されている。
【００２２】
図２は、実施形態１に係る床デッキ１の概略構成を示す図である。図２は、床デッキ１の上面の一部を示している。床デッキ１は、複数の床板３１を有するスリット床３と、このスリット床３を支持する根太部材４と、根太部材４を支持する梁部材２とを有する。梁部材２は、一定のスパン毎に配置されている。本実施形態では、梁部材２同士の間隔を約１８００〜２０００ｍｍ程度としている。但し、梁部材２同士の間隔は上記例示範囲に限
定されるものではなく、適宜変更することができる設計事項である。また、本実施形態においては、梁部材２をＨ形鋼によって構成しているが、Ｉ形鋼、山形鋼、溝形鋼など、種々の断面形状を採用することができる。
【００２３】
スリット床３は、複数の床板３１と、スペーサ部材３２とを有している。床板３１は、梁部材２の長手方向に沿って配置されている細長の板状部材である。以下、床板３１の長手方向を、床デッキ１（スリット床３）の幅方向と定義する。スリット床３は、隣接する床板３１同士の間に隙間３３が形成されることでスリット状に構成されている。スペーサ部材３２は、隣り合う床板３１同士の間に配置され、床板３１同士の間隔、つまり隙間３３の寸法を規定する部材である。隣接する床板３１同士の間に形成される隙間３３の寸法は、スペーサ部材３２の長さに等しい。
【００２４】
床板３１は、天然木材によって形成されていても良いし、合成木材、金属等、種々の材料を用いることができる。
【００２５】
床デッキ１は、スリット床３を支持する根太部材４を備える。図２に示す例では、根太部材４は、床板３１の長手方向と直交する方向に伸びている。本実施形態では、床板３１の長手方向は、梁部材２の長手方向と一致するため、根太部材４の長手方向は、床板３１および梁部材２の双方の長手方向と直交する方向に設定されている。但し、根太部材４は、梁部材２および床板３１と共にグリッド構造が形成されるように、床板３１と交差する方向に延伸していれば良く、根太部材４と床板３１とが９０°に直交して配置されていなくても良い。同様に、根太部材４と梁部材２とが９０°に直交して配置されていなくても良い。
【００２６】
図２中、根太部材４にはハッチングを付している。以下、根太部材４が伸びる長手方向を、床デッキ１（スリット床３）の長手方向と定義する。本実施形態における根太部材４は、円形断面を有する棒状部材である。但し、根太部材４の断面形状を円形断面に限られず、他の断面形状を採用しても良い。また、根太部材４に用いる材料としては、金属材料、木質系材料等、種々の材料を用いることができる。
【００２７】
図３は、図２のＡ−Ａ矢視図である。図３は、床板３１を正面から眺めた状態を示している。また、図４は、図２のＢ−Ｂ矢視断面図である。ここで、床板３１の高さ寸法を図４における符号ｈにて定義し、床板３１の幅寸法を図４における符号ｗにて定義する。図４に示すように、床板３１は、幅寸法ｗに比べて高さ寸法ｈの方が大きい。本実施形態では、床板３１の幅寸法ｗを３０ｍｍ、高さ寸法ｈを１４５ｍｍとしている。また、各床板１１間の隙間３３の寸法（以下、「スリット寸法」ともいう。）ｗｓを３０ｍｍとしている。但し、これらの各寸法は適宜変更することができる設計事項である。
【００２８】
スリット床３における各床板３１には、根太部材４を挿通させる貫通孔３１Ａが形成されており、この貫通孔３１Ａに根太部材４が挿通されている。本実施形態においては、各床板３１の長手方向における中央部、両端周辺部の３箇所に貫通孔３１Ａが形成されている。貫通孔３１Ａの内径は、根太部材４の外径と等しいか、僅かに大きい寸法に設定されている。根太部材４が床板３１の貫通孔３１Ａに挿通されることで、床板３１の自重および積載荷重が根太部材４に伝達される。これにより、根太部材４は、床板３１を含むスリット床３を支持する支持部材として機能する。また、スリット床３における複数の床板３１は、根太部材４を介して互いに連結され、一体となっている。
【００２９】
スペーサ部材３２は、根太部材４よりも若干大きな内径を有する円筒部材であり、円筒壁の内側に中空部３２Ａを有する。また、スペーサ部材３２の長さ寸法は、上述のスリット寸法ｗｓと等しくなるように成形されている。本実施形態では、スペーサ部材３２を、
アルミニウム製の丸パイプによって形成しているが、これには限定されない。
【００３０】
スペーサ部材３２の中空部３２Ａには、根太部材４が挿通されている。隣り合わせに配置される床板３１同士の間にスペーサ部材３２が配置されることにより、隣接する床板３１同士の間に形成される隙間３３のスリット寸法ｗｓを所望の設定寸法に合わせることができる。
【００３１】
次に、梁部材２の詳細について説明する。符号２１は「ウェブ」、符号２２は「上フランジ」、符号２３は「下フランジ」を示す。梁部材２は、ウェブ２１、上フランジ２２、下フランジ２３を有する。梁部材２のウェブ２１には、根太部材４の端部を受け入れ、根太部材４を支持する根太受け部材２４が設けられている。図４に示すように、根太受け部材２４は梁部材２の縦断面内に設けられている。ここで、梁部材２の縦断面内に設けられるとは、梁部材２の長手方向に直交する断面内に設置されることをいう。
【００３２】
根太受け部材２４は、根太部材４の外径と等しい内径を有する支持部を有しており、根太部材４の端部を支持部に挿入することで根太部材４を支持可能となっている。根太受け部材２４は、例えばボルト止めや溶接などといった適宜の接合方法によって、ウェブ２１に対して一体に固定されている。ウェブ２１に接合された根太受け部材２４に、根太部材４の端部が受け入れられ、支持されることで、根太受け部材２４を介して根太部材４が梁部材２に固定される。これにより、根太部材４およびこの根太部材４によって支持されているスリット床３の重量、或いは、スリット床３に対する積載荷重等が梁部材２へと伝達される。なお、根太受け部材２４から根太部材４の端部が不用意に外れることがないように、適宜の手段によって根太受け部材２４に対して根太部材４の端部を固定すると良い。
【００３３】
上記のように、床デッキ１は、梁部材２の縦断面内に設けられる根太受け部材２４を介して根太部材４の端部を支持することで、梁部材２の縦断面内に根太部材４を収めるようにした。その結果、根太部材４と梁部材２とが、床デッキ１の高さ方向に関して同一レイヤー（同一層）に配置される。根太受け部材２４は、本発明に係る支持部に対応する。なお、梁部材２によって根太部材４を支持するための支持構造は上記構成例に限られない。例えば、アイボルト（図示せず）のリング部にスペーサ部材３２を挿通した上で、このアイボルトを梁部材２の下フランジ２３や上フランジ２２に接合することにより、根太部材４を梁部材２によって支持するような構造を採用しても良い。
【００３４】
以上のように、本実施形態に係る床デッキ１は、互いに平行に配置された梁部材２とスリット床３における各床板３１とに対して、根太部材４が直交方向に配置されることにより、これら各部材が格子状に組み上げられている。つまり、床デッキ１は、スリット床３における各床板３１と根太部材４と梁部材２とがグリッド状に組み上げられたグリッド（格子）構造を有している。
【００３５】
そして、スリット床３における各床板３１の間には隙間３３が形成されているため、台風や高潮、洪水、増水などの自然災害時に床デッキ１（スリット床３）の下方から水が勢い良く押し寄せても、隙間３３を通じて床デッキ１（スリット床３）の上方に水を逃がすことができる。つまり、本実施形態に係る床デッキ１によれば、床面全体に床板を隙間無く配置する従来の床デッキに比べて、下方からの波圧（水圧）を受ける受圧面積を少なくすることができる。これにより、スリット床３に下方から作用する波圧（水圧）が低減されるため、台風や高潮、洪水などの自然災害時においてもスリット床３が破損することを抑制できる。また、上記のように、床デッキ１によれば、スリット床３に下方から作用する波圧（水圧）が低減されるため、従来に比べてスリット床３を低いレベルに架設することができる。つまり、スリット床３の設置レベルを従来に比べてより一層水面に近づけることができるため、床デッキ１の親水性を高めることができる。
【００３６】
更に、スリット床３は、床板３１をいわゆる「縦使い」とし、幅寸法ｗに比べて高さ寸法ｈの方が大きい。これによれば、床板３１の曲げ剛性をより高めることができるため、スリット床３（床板３１）に対して上方から積載荷重（例えば、スリット床３の上部に乗った人等の荷重）が作用しても、スリット床３（床板３１）が撓み難くなる点で有利である。但し、スリット床３は、必ずしも床板３１を縦使いにする必要は無く、幅寸法ｗおよび高さ寸法ｈの相対関係は自由に設定することができる。
【００３７】
更に、実施形態に係る床デッキ１は、スリット床３における床板３１と根太部材４と梁部材２のうち、少なくとも、床板３１と根太部材４、或いは根太部材４と梁部材２を、床デッキ１の高さ方向に関して同一レイヤー（同一層）に配置することを特徴としている。図１乃至４に示した床デッキ１においては、スリット床３における床板３１と根太部材４と梁部材２の全てを、床デッキ１の高さ方向に関して同一レイヤーに配置している。
【００３８】
すなわち、本実施形態に係る床デッキ１は、根太部材４を、スリット床３の各床板３１に形成された貫通孔３１Ａに挿通させることで、床板３１と根太部材４とを床デッキ１の高さ方向に関して同一レイヤーに配置する（収める）ようにした。これにより、スリット床３の床板３１を根太部材４の上に積層支持する場合に比べて、床デッキ１の曲げ剛性が低下することを抑制しつつ、床デッキ１の高さ寸法を小さくすることが可能となる。その際、根太部材４を挿通可能な中空部３２Ａを有するスペーサ部材３２を、各床板３１同士の間に配置するようにしたので、床板３１に形成された貫通孔３１Ａに根太部材４を挿通した際、各床板３１間のスリット寸法ｗｓを容易に所望の寸法に合わせることが可能となる。
【００３９】
更に、床デッキ１は、梁部材２の縦断面内に設けられる根太受け部材２４によって根太部材４の端部を支持することで、根太部材４と梁部材２とを床デッキ１の高さ方向に関して同一レイヤーに配置する（収める）ようにした。これによれば、根太部材４を梁部材２の上に積層支持する場合に比べて、床デッキ１の曲げ剛性が低下することを抑制しつつ、床デッキ１の高さ寸法を小さくすることが可能となる。
【００４０】
以上のように、床デッキ１の高さをコンパクトにすることで、台風、高潮、津波、洪水、増水などの自然災害時において側方からの波圧（水圧）や風圧を受ける受圧面積を低減できる。そして、前述の通り、グリッド構造を採用する床デッキ１は、下方から受ける波圧も低減できる構造になっているため、上記自然災害時においても、下方や側方から大きな外力を受けることが回避される。これによって、自然災害時においても、床デッキ１が損傷を受けることを抑制できる。なお、本実施形態では、床デッキ１を備える水際構築物１００を水上ステージとする場合を例に説明したが、水際構築物１００は、桟橋、水上遊歩道、浮桟橋等であっても良く、水面上に架設される床デッキを有する水際構築物（水周り構築物）であればその用途は特に限定されない。
【００４１】
なお、本発明に係る床デッキは、スリット床における床板と根太部材と梁部材のうち、少なくとも、床板と根太部材、或いは根太部材と梁部材を、床デッキの高さ方向に関して同一レイヤーに配置すればよく、例えば根太部材および梁部材のみを同一レイヤーとしても良いし、スリット床と根太部材のみを同一レイヤーとしても良い。以下、他の実施形態について図面を参照して説明する。
【００４２】
＜実施形態２＞
図５は、実施形態２に係る床デッキ１Ａの断面構造を示す図である。床デッキ１Ａのうち、実施形態１に係る床デッキ１と共通する構成部材については同一の符号を付すことでその詳しい説明を省略する。
【００４３】
床デッキ１Ａは、実施形態１に係る床デッキ１と同様、グリッド構造を構成するスリット床３Ａ、根太部材４Ａ、および梁部材２を具備する。梁部材２は、根太部材４Ａを支持している。根太部材４Ａは、矩形断面を有し、スリット床３Ａを支持している。図５に示すように、根太部材４Ａの端部４０は、梁部材２の縦断面内に設けられる支持部としての下フランジ２３に載置され、図示しない締結具によって根太部材４Ａが梁部材２に支持、固定されている。これにより、根太部材４Ａと梁部材２とが床デッキ１Ａの高さ方向に関して同一レイヤーに配置されている。
【００４４】
一方、図５に示すように、スリット床３Ａは根太部材４上に積層支持されている。スリット床３Ａは、実施形態１のスリット床３と同様、貫通孔３１Ａを有する複数の床板３１と、スペーサ部材３２とを有する。実施形態１の床デッキ１では、根太部材４を床板３１の貫通孔３１Ａに挿通する態様を採用したが、図５に示す床デッキ１Ａにおいては棒状部材としての接続ロッド５を貫通孔３１Ａに挿通する。接続ロッド５は円形断面を有しており、貫通孔３１Ａおよびスペーサ部材３２の中空部３２Ａの内径と同じか、それよりも若干小さな外径を有する。各床板３１の貫通孔３１Ａに接続ロッド５が挿通され、且つ、中空部３２Ａに接続ロッド５を挿通させたスペーサ部材３２が隣接する各床板３１同士の間に配置されることで、各床板３１が連結されると共に、隣接する床板３１間に所定寸法の隙間３３を形成することができる。
【００４５】
なお、スリット床３Ａは、締結部材であるアイボルト３４を介して根太部材４Ａに固定されている。具体的には、アイボルト３４のリング部にスペーサ部材３２を挿通すると共に、根太部材４Ａを上下に貫通するように形成された貫通孔にアイボルト３４のボルト部を挿入した上で、ナットによってアイボルト３４を根太部材４Ａに締結する。これにより、根太部材４Ａにスリット床３Ａが支持、固定される。
【００４６】
以上のように、床デッキ１Ａでは、梁部材２と根太部材４Ａとスリット床３Ａのうち、根太部材４Ａと梁部材２とを床デッキ１Ａの高さ方向に関して同一レイヤーに配置し、根太部材４Ａ上にスリット床３Ａを積層支持する構造を採用した。これにより、実施形態１に係る床デッキ１と同様、台風、高潮、津波、洪水、増水などの自然災害時においても、下方や側方から大きな外力が作用することで損傷を受けることを抑制しつつ、優れた親水性を確保することが可能となる。
【００４７】
＜実施形態３＞
図６は、実施形態３に係る水際構築物１００Ｂを示す図である。水際構築物１００Ｂは、水面上に架設された人通橋（桟橋）である。水際構築物（以下、「人通橋」と称する。）１００Ｂは、水面上に張り出された床デッキ１Ｂを有する。床デッキ１Ｂのうち、実施形態１、２に係る床デッキ１、１Ａと共通する構成部材については同一の符号を付すことでその詳しい説明を省略する。
【００４８】
床デッキ１Ｂは、スリット床３、根太部材４、および梁部材２を具備する。スリット床３は根太部材４に支持され、スリット床３を支持する根太部材４を梁部材２が支持している。人通橋１００Ｂは、梁部材２を支持すると共に水中の地盤に固定された脚柱１０３を備える。脚柱１０３の上端部は、梁部材２の下フランジ２３にボルト接合されている。また、床デッキ１Ｂは、手摺り７を備える。手摺り７の支柱７１は、例えば梁部材２の上フランジ２２にボルト接合されている。但し、梁部材２と脚柱１０３との接合方法、梁部材２と支柱７１との接合方法は適宜変更することができる。
【００４９】
図７は、実施形態３に係る床デッキ１Ｂの断面構造を示す図である。図７は、梁部材２の長手方向に直交する断面構造を示している。床デッキ１Ｂは、床デッキ１と同様に、ス
リット床３における各床板３１と根太部材４と梁部材２とがグリッド状に組み上げられたグリッド構造を有している。床デッキ１Ｂは、根太部材４とスリット床３とが床デッキ１Ｂの高さ方向に関して同一レイヤーに配置されており、同一レイヤーに組み上げられた根太部材４およびスリット床３が梁部材２上に積層、支持された構造となっている。
【００５０】
根太部材４およびスリット床３との接合方法は実施形態１に係る床デッキ１と同様である。図７に示されるように、床板３１に形成された貫通孔３１Ａおよびスペーサ部材３２の中空部３２Ａには根太部材４が挿通されており、隣接する床板３１同士の間にスペーサ部材３２が配置されている。また、梁部材２の上フランジ２２の上には、支持プレート８１、台座８２が載置されている。台座８２上面は凹面となっており、スペーサ部材３２が台座６２の上部に載置されている。そして、台座８２上に配置されたスペーサ部材３２およびこのスペーサ部材３２に挿通された根太部材４は、締結具８０を介して梁部材２の上フランジ２２に締結されている。こうして、根太部材４は、スペーサ部材３２、台座８２、支持プレート８１を介して梁部材２に支持される構造となっている。なお、図７に示す例では、締結具８０が設けられる箇所に対応するスペーサ部材３２、根太部材４、台座８２、支持プレート８１には、締結具８０のボルト部を挿通するための貫通孔が設けられている。なお、図７においては、手摺り７の図示を省略している。
【００５１】
上記構成の床デッキ１Ｂにおいては、梁部材２と根太部材４とスリット床３のうち、根太部材４とスリット床３とを床デッキ１Ｂの高さ方向に関して同一レイヤーに配置したので、実施形態１、２に係る床デッキと同様、台風、高潮、津波、洪水、増水などの自然災害時においても、下方や側方から大きな外力が作用することで損傷を受けることを抑制しつつ、優れた親水性を確保することが可能となる。
【００５２】
人通橋１００Ｂを設置する場所は、海、川、湖沼等、特に限定されないが、ここでは、人通橋１００Ｂを海の沿岸部に設置する場合を例に挙げて説明する。人通橋１００Ｂは、例えば、満潮時に図６に示したように床デッキ１Ｂの下方に海水が満ちた状態となり、干潮時には図８に示すように床デッキ１の下方の地面が露出した状態となる箇所に設置されても良い。図９（ａ）、（ｂ）には、人通橋１００Ｂの設置例のバリエーションについて示す。（ａ）は満潮時の状態を示し、（ｂ）は干潮時の状態を示す。干潮時において、人通橋１００Ｂをいわゆるパーゴラとして利用することができる。すなわち、干潮時において、スリット床３によって強い日差しを部分的に遮ることで、床デッキ１Ｂの下方に日差しを遮りながら明るく開放的な空間を形成できる。また、人通橋１００Ｂは、地震などの自然災害時において、津波を避けるための避難場所としても利用することも可能である。
【００５３】
＜実施形態４＞
次に、上述した床デッキ１を浮き桟橋１００Ｃに適用する実施形態について説明する。図１０は、実施形態４に係る浮き桟橋１００Ｃの概略構成を示す図である。床デッキ１の構造については既述のため詳しい説明を省略する。浮き桟橋１００Ｃは、床デッキ１、フレーム部材１０４、フロート１０５を備える。フレーム部材１０４は、床デッキ１の梁部材２の両端部に連結される、平面視口字型のフレームである。フレーム部材１０４は、床デッキ１との所定の連結箇所において、梁部材２（図１０中、図示せず）の両端部と例えば締結具を介して連結されており、床デッキ１の側部外周がフレーム部材１０４によって囲まれるように、床デッキ１にフレーム部材１０４が取り付けられている。
【００５４】
フロート１０５は、床デッキ１の下方に設置される浮袋（袋体）であり、フレーム部材１０４に取り付けられている。また、図９に示す例では、フレーム部材１０４に対して２つのフロート１０５が取り付けられているが、その数は適宜変更することができる。フロート１０５は、内部に中空部１０６を有している。通常時においては、中空部１０６の内部には空気が充填されることによって浮力が発揮され、浮き桟橋１００Ｃが水面に浮上（
浮遊）した状態に維持されるようになっている。
【００５５】
各フロート１０５には、通気口１０７および通水口１０８が設けられている。通気口１０７は、フロート１０５の中空部１０６に対して空気の導入および排出を行うための蓋付き開口部である。また、通水口１０８は、フロート１０５の中空部１０６に対して水の導入および排出を行うための蓋付き開口部である。
【００５６】
浮き桟橋１００Ｃは、台風等が接近している場合などのように、水面上に浮上させたままの状態では破損する虞がある場合には、予め水中に沈降させることが可能である。浮き桟橋１００Ｃを水中に沈降させる際には、フロート１０５の通気口１０７から中空部１０６の空気を排出する。そして、フロート１０５の通水口１０８から中空部１０６内に水を注水し、中空部１０６を水で充填させる。このように、フロート１０５における中空部１０６の空気が通気口１０７から排出された状態では、浮き桟橋１００Ｃの浮力が著しく減少するため、浮き桟橋１００Ｃが水中に沈降する。浮き桟橋１００Ｃの沈降に際しては、必要に応じて浮き桟橋１００Ｃに錘（重り）を載せることによって、浮き桟橋１００Ｃを沈降させても良い。
【００５７】
浮き桟橋１００Ｃの沈降に際して、床デッキ１はグリッド構造を採用し、特にスリット床３は各床板３１間に隙間３３が形成されたスリット構造となっているため、浮き桟橋１００Ｃを水中に沈降させる沈降作業時に水の抵抗を受け難くすることができる。従って、浮き桟橋１００Ｃの沈降作業を容易に、且つ短時間で行うことができるので作業性を向上させることができる。
【００５８】
また、本実施形態に係るグリッド構造を有する床デッキ１は、スリット床３における床板３１と根太部材４と梁部材２の全てを、床デッキ１の高さ方向に関して同一レイヤーに配置しているため、床デッキ１のトータル高さ寸法を低く抑えることができる。従って、水中に沈降させた状態の浮き桟橋１００Ｃに対して側方からの外力を受け難くすることができる。従って、浮き桟橋１００Ｃを海底に沈降させた場合には、大波の影響を受け難くすることができる。また、浮き桟橋１００Ｃを川底に沈降させた場合には、増水の際に上流から勢い良く流れてくる濁流の影響を受け難くすることができ、また、流木などが衝突することを回避し易くなる。よって、浮き桟橋１００Ｃに実施形態１乃至３の何れかの床デッキを適用することで、台風や津波、増水等の自然災害時においても破損しにくい浮き桟橋１００Ｃを提供することができる。
【００５９】
なお、上記の例では、浮き桟橋１００Ｃを水中に沈降させる際に、フロート１０５の中空部１０６内に水を充填しているが、少なくとも中空部１０６の空気を排出すれば良い。また、本実施形態では、実施形態１で説明した床デッキ１を浮き桟橋１００Ｃを適用する場合を説明したが、他の何れかの実施形態に係る床デッキ１Ａ、１Ｂを浮き桟橋１００Ｃに適用しても良い。また、以上の各実施形態および変形例は、可能な限りこれらを組み合わせて実施することができる。
【符号の説明】
【００６０】
１・・・床デッキ
２・・・梁部材
３・・・スリット床
４・・・根太部材
３１・・・床板
３２・・・スペーサ部材
３３・・・隙間
【図１】
0005522611.tif 000002
【図２】
0005522611.tif 000003
【図３】
0005522611.tif 000004
【図４】
0005522611.tif 000005
【図５】
0005522611.tif 000006
【図６】
0005522611.tif 000007
【図７】
0005522611.tif 000008
【図８】
0005522611.tif 000009
【図９】
0005522611.tif 000010
【図１０】
0005522611.tif 000011